(57)【要約】  ペン先と、前記ペン先の後端に接続される筒状のインキ吸蔵体と、前記インキ吸蔵体の後方に配置されるインキタンクと、前記インキ吸蔵体と前記インキタンクとの間を接続する複数本の連通管と、を備えた直液式筆記具である。前記連通管の各々の前端部は、前記インキ吸蔵体の内部に位置していて、前記インキ吸蔵体の外周側に向いた傾斜面を有するように形成されており、前記連通管の各々は、前記前端部の前記傾斜面内において開口部を有している。また、前記連通管の各々は、前記開口部に隣接して前記開口部よりも前方に延在する先端領域を有しており、前記先端領域は、前記連通管の各々が前記インキ吸蔵体の後端から前方に挿入される時に当該インキ吸蔵体の内部を押圧圧縮できる押圧圧縮部を構成している。
2016208436.tif 000002
【特許請求の範囲】
【請求項１】
ペン先と、
前記ペン先の後端に接続される筒状のインキ吸蔵体と、
前記インキ吸蔵体の後方に配置されるインキタンクと、
前記インキ吸蔵体と前記インキタンクとの間を接続する複数本の連通管と、
を備え、
前記連通管の各々の前端部は、前記インキ吸蔵体の内部に位置していて、前記インキ吸蔵体の外周側に向いた傾斜面を有するように形成されており、
前記連通管の各々は、前記前端部の前記傾斜面内において開口部を有しており、
前記連通管の各々は、前記開口部に隣接して前記開口部よりも前方に延在する先端領域を有しており、
前記先端領域は、前記連通管の各々が前記インキ吸蔵体の後端から前方に挿入される時に当該インキ吸蔵体の内部を押圧圧縮できる押圧圧縮部を構成している
ことを特徴とする直液式筆記具。
【請求項２】
前記連通管の各々の側壁が、連結部によって連結されている
ことを特徴とする請求項１に記載の直液式筆記具。
【請求項３】
前記連結部の前端側の領域が、前記連通管の各々の前記開口部よりも前方に延在していて、前記連通管の各々の前記先端領域と共に、前記押圧圧縮部を構成している
ことを特徴とする請求項２に記載の直液式筆記具。
【請求項４】
前記連結部の前端側の領域は、前記連通管の各々の前記傾斜面と連続する１以上の連結部傾斜面を有している
ことを特徴とする請求項２または３に記載の直液式筆記具。
【請求項５】
前記連通管の本数は、２本である
ことを特徴とする請求項１乃至４のいずれかに記載の直液式筆記具。
【請求項６】
前記傾斜面は、平面状である
ことを特徴とする請求項１乃至５のいずれかに記載の直液式筆記具。
【請求項７】
前記傾斜面は、凸曲面状である
ことを特徴とする請求項１乃至５のいずれかに記載の直液式筆記具。
【請求項８】
ペン先と、
前記ペン先の後端に接続される筒状のインキ吸蔵体と、
前記インキ吸蔵体の後方に配置されるインキタンクと、
前記インキ吸蔵体と前記インキタンクとの間を接続する複数本の流通路を有する共同連通管と、
を備え、
前記共同連通管の前端部は、前記インキ吸蔵体の内部に位置していて、前記流通路の各々が前記インキ吸蔵体の外周側に向いた傾斜面内において開口部を有するような形状を有しており、
前記共同連通管は、前記各開口部に隣接して前記各開口部よりも前方に延在する先端領域を有しており、
前記先端領域は、前記共同連通管が前記インキ吸蔵体の後端から前方に挿入される時に当該インキ吸蔵体の内部を押圧圧縮できる押圧圧縮部を構成している
ことを特徴とする直液式筆記具。
【請求項９】
前記共同連通管の前端部は、各々が前記インキ吸蔵体の外周側に向いた複数の傾斜面を有するように形成されており、
前記流通路の各々が、前記複数の傾斜面の各々に対応していて、対応する傾斜面内において開口部を有している
ことを特徴とする請求項８に記載の直液式筆記具。
【請求項１０】
前記流通路の本数は、２本である
ことを特徴とする請求項９に記載の直液式筆記具。
【請求項１１】
前記複数の傾斜面の各々は、平面状である
ことを特徴とする請求項９または１０に記載の直液式筆記具。
【請求項１２】
前記複数の傾斜面の各々は、凸曲面状である
ことを特徴とする請求項９または１０に記載の直液式筆記具。
【請求項１３】
前記共同連通管の前端部は、軸線回りに回転対称な回転体形状を有している
ことを特徴とする請求項８に記載の直液式筆記具。
【請求項１４】
前記共同連通管の前端部は、円錐形状または切頭円錐形状を有している
ことを特徴とする請求項１３に記載の直液式筆記具。
【請求項１５】
前記共同連通管の前端部は、球面形状を有している
ことを特徴とする請求項１３に記載の直液式筆記具。
【請求項１６】
ペン先と、
前記ペン先の後端に接続される筒状のインキ吸蔵体と、
前記インキ吸蔵体の後方に配置されるインキタンクと、
前記インキ吸蔵体と前記インキタンクとの間を接続する連通管と、
を備え、
前記連通管の前端部は、前記インキ吸蔵体の内部に位置していて、複数の開口部の各々が前記インキ吸蔵体の外周側に向いた傾斜面内において開口するような形状を有しており、
前記連通管は、前記各開口部に隣接して前記各開口部よりも前方に延在する先端領域を有しており、
前記先端領域は、前記連通管が前記インキ吸蔵体の後端から前方に挿入される時に当該インキ吸蔵体の内部を押圧圧縮できる押圧圧縮部を構成している
ことを特徴とする直液式筆記具。
【請求項１７】
前記連通管の前端部は、各々が前記インキ吸蔵体の外周側に向いた複数の傾斜面を有するように形成されており、
前記開口部の各々が、前記複数の傾斜面の各々に対応していて、対応する傾斜面内において開口している
ことを特徴とする請求項１６に記載の直液式筆記具。
【請求項１８】
前記開口部の個数は、２個である
ことを特徴とする請求項１７に記載の直液式筆記具。
【請求項１９】
前記複数の傾斜面の各々は、平面状である
ことを特徴とする請求項１７または１８に記載の直液式筆記具。
【請求項２０】
前記複数の傾斜面の各々は、凸曲面状である
ことを特徴とする請求項１７または１８に記載の直液式筆記具。
【請求項２１】
前記連通管の前端部は、軸線回りに回転対称な回転体形状を有している
ことを特徴とする請求項１６に記載の直液式筆記具。
【請求項２２】
前記連通管の前端部は、円錐形状または切頭円錐形状を有している
ことを特徴とする請求項２１に記載の直液式筆記具。
【請求項２３】
前記連通管の前端部は、球面形状を有している
ことを特徴とする請求項２１に記載の直液式筆記具。
【発明の詳細な説明】
【技術分野】
【０００１】
本発明は、直液式筆記具に関する。詳細には、インキタンク内にインキを貯溜し、前記インキタンクとペン先との間にインキ吸蔵体を介在させた直液式筆記具に関する。
【背景技術】
【０００２】
従来、この種の直液式筆記具に関して、例えば、特開２００６−２１２８８４号公報には、ペン先と、前記ペン先の後端に接続されるインキ吸蔵体と、前記インキ吸蔵体の後方に配置されるインキタンクと、前記インキタンクと前記インキ吸蔵体との間を接続する連通管と、を備えた直液式筆記具が開示されている。この直液式筆記具では、連通管は平行に２本が間隔を空けて設けられ、連通管の各々の前端が開口されており、インキ吸蔵体は、高密度部と、当該高密度部より後方に連接される低密度部と、を有しており、高密度部に連通管の各々の前端及びペン先の後端が接続されている。さらに、特開２００６−２１２８８４号公報には、インキ吸蔵体の後端から連通管の各々の前端を挿入した際に、連通管の各々の前端がインキ吸蔵体の内部を前方に押圧圧縮することによって、連通管の各々の前端近傍のインキ吸蔵体の内部に高密度部が形成されることが記載されている。【０００３】
特開２００６−２１２８８４号公報の直液式筆記具は、各々の連通管の前端が傾斜カット面からなり、前記傾斜カット面（連通管の前端開口部）がインキ吸蔵体の軸心方向に向いている。そのため、本件発明者によれば、前記従来の直液式筆記具は、各々の連通管の前端近傍でインキ吸蔵体が過度に圧縮され、ペン先からのインキ吐出性が低下するおそれがある。特に、このおそれは、細身の軸筒を得るために軸筒の外径を小さくして、それに伴いインキ吸蔵体の外径及び各々の連通管の前端開口部の間隔を小さくする場合に、顕著となり得る。
【発明の概要】
【０００４】
本発明は、前記従来の問題点を解決するものであって、各々の連通管の前端開口部の間隔を比較的小さくしても、インキ吸蔵体の内部における各々の連通管の前端近傍に適正な高密度部を形成でき、ペン先からの十分なインキ吐出性が得られる直液式筆記具を提供しようとするものである。
【０００５】
尚、本明細書において、「前」とはペン先側を指し、「後」とはその反対側を指す。
【０００６】
本願の第１の発明は、ペン先と、前記ペン先の後端に接続されるインキ吸蔵体と、前記インキ吸蔵体の後方に配置され、インキを直に貯溜するインキタンクと、前記インキタンクと前記インキ吸蔵体との間を接続する複数本の連通管とからなり、前記連通管の各々の前端が開口され、前記連通管の各々の前端をインキ吸蔵体の後端から前方に挿入することにより前記インキ吸蔵体の内部を押圧圧縮し、前記連通管の各々の前端をインキ吸蔵体内部に位置させてなる直液式筆記具であって、前記連通管の各々の前端が、前方に向かうに従って径方向内方に向かう傾斜面を備え、前記連通管の各々の前端開口部が径方向外方に向かって開口してなることを要件とする。
【０００７】
前記第１の発明の直液式筆記具は、前記連通管の各々の前端が、前方に向かうに従って径方向内方に向かう傾斜面を備え、前記連通管の各々の前端開口部が径方向外方に向かって開口してなることにより、各々の連通管の前端近傍でインキ吸蔵体が過度に圧縮されることなく、ペン先からの十分なインキ吐出性が得られる。特に、前記第１の発明の直液式筆記具は、細身の軸筒を得るために軸筒の外径を小さくし、それに伴いインキ吸蔵体の外径及び各々の連通管の前端開口部の間隔を小さくしても、各々の連通管の前端近傍でインキ吸蔵体が適度に圧縮され、インキ吸蔵体の内部における各々の連通管の前端近傍に適正な高密度部を形成でき、各々の連通管を介してインキと空気の交替をスムーズに行うことができ、ペン先からのインキ吐出性が低下することがない。
【０００８】
次に、本願の第２の発明は、前記第１の発明の直液式筆記具において、前記連通管の各々の側壁を連結部により連結し、前記連結部の前端を前記連通管の各々の前端開口部より前方に位置させたことを要件とする。
【０００９】
前記第２の発明の直液式筆記具は、前記連通管の各々の側壁を連結部により連結し、前記連結部の前端を前記連通管の各々の前端開口部より前方に位置させたことにより、より一層、各々の連通管の前端近傍でインキ吸蔵体が適度に圧縮され、インキ吸蔵体の内部における各々の連通管の前端近傍に適正な高密度部を形成できる。
【００１０】
次に、第３の発明は、前記第２の発明の直液式筆記具において、前記連結部の前端が前方に向かうに従って径方向内方に向かう傾斜面を複数備え、前記連結部の前端の各々の傾斜面と前記連通管の前端の各々の傾斜面とを連続的に接続させたことを要件とする。
【００１１】
前記第３の発明の直液式筆記具は、前記連結部の前端が前方に向かうに従って径方向内方に向かう傾斜面を複数備え、前記連結部の前端の各々の傾斜面と前記連通管の前端の各々の傾斜面とを連続的に接続させたことにより、より一層、各々の連通管のインキ吸蔵体へのスムーズな挿入が可能となり、インキ吸蔵体の内部における各々の連通管の前端近傍に適正な高密度部を形成できる。
【００１２】
次に、第４の発明は、前記第１乃至第３の発明の直液式筆記具において、前記連通管の前端が平面状の傾斜面であることを要件とする。
【００１３】
前記第４の発明の直液式筆記具は、前記連通管の前端が平面状の傾斜面であることにより、より一層、各々の連通管のインキ吸蔵体へのスムーズな挿入が可能となり、インキ吸蔵体の内部における各々の連通管の前端近傍に適正な高密度部を形成できる。
【００１４】
また、前記第１の発明に関連して、本願の更なる発明（第５の発明）の直液式筆記具は、ペン先と、前記ペン先の後端に接続される筒状のインキ吸蔵体と、前記インキ吸蔵体の後方に配置されるインキタンクと、前記インキ吸蔵体と前記インキタンクとの間を接続する複数本の連通管と、を備え、前記連通管の各々の前端部は、前記インキ吸蔵体の内部に位置していて、前記インキ吸蔵体の外周側に向いた傾斜面を有するように形成されており、前記連通管の各々は、前記前端部の前記傾斜面内において開口部を有しており、前記連通管の各々は、前記開口部に隣接して前記開口部よりも前方に延在する先端領域を有しており、前記先端領域は、前記連通管の各々が前記インキ吸蔵体の後端から前方に挿入される時に当該インキ吸蔵体の内部を押圧圧縮できる押圧圧縮部を構成していることを要件とする。
【００１５】
本発明によれば、前記連通管の各々が、前記インキ吸蔵体の外周側に向いた傾斜面を有するように形成されており、前記傾斜面内において開口部を有しており、且つ、前記開口部に隣接して前記開口部よりも前方に延在する先端領域を有しており、当該先端領域がインキ吸蔵体の内部を押圧圧縮できる押圧圧縮部を構成しているという特徴のために、連通管の各々の先端領域の近傍でインキ吸蔵体が過度に圧縮されるおそれがなく、ペン先からの十分なインキ吐出性が得られる。特に、細身の軸筒を得るために軸筒の外径を小さくし、それに伴いインキ吸蔵体の外径及び各々の連通管の開口部の間隔を小さくしても、各々の連通管の先端領域の近傍でインキ吸蔵体は適度に圧縮され、インキ吸蔵体の内部における各々の連通管の先端領域の近傍において適正な（所望の）高密度部を形成でき、結果として、各々の連通管を介してインキと空気との交替をスムーズに行うことができ、ペン先からのインキ吐出性が低下するおそれがない。
【００１６】
少なくとも本願出願の時点においては、連通管の各々が互いから離れている態様も、本発明の範囲から排除されない。
【００１７】
しかしながら、連通管の各々の側壁が連結部によって連結されていることが好ましい。この場合、各々の連通管のインキ吸蔵体への挿入がより容易になる。
【００１８】
また、この場合において、連結部の前端側の領域が、連通管の各々の開口部よりも前方に延在していて、連通管の各々の先端領域と共に押圧圧縮部を構成していることが更に好ましい。この場合、インキ吸蔵体が、各々の連通管の先端領域の近傍で、より一層適度に圧縮されて、より一層適正な高密度部を形成できる。結果として、各々の連通管を介してインキと空気との交替をより一層スムーズに行うことができる。
【００１９】
また、この場合において、連結部の前端側の領域は、連通管の各々の傾斜面と連続する１以上の連結部傾斜面を有していることが更に好ましい。この場合、各々の連通管のインキ吸蔵体への挿入をより一層スムーズに行うことができる。また、この場合も、インキ吸蔵体が、各々の連通管の先端領域の近傍で、より一層適度に圧縮されて、より一層適正な高密度部を形成できる。結果として、各々の連通管を介してインキと空気との交替を更によりスムーズに行うことができる。
【００２０】
少なくとも本願出願の時点においては、連通管の本数は限定されない。
【００２１】
しかしながら、連通管の本数は２本であることが好ましい。２本である場合、１本がインキ供給用に作用する一方で、他の１本が空気置換用に作用するため、インキと空気との交替を極めて高効率に行うことができる。
【００２２】
なお、連通管の各々の前端部の傾斜面は、平面状であってもよいし、凸曲面状であってもよいし、凹曲面状であってもよい。
【００２３】
また、前記第２の発明は、実質的に、以下のように規定することもできる。すなわち、本願の更なる発明（第６の発明）の直液式筆記具は、ペン先と、前記ペン先の後端に接続される筒状のインキ吸蔵体と、前記インキ吸蔵体の後方に配置されるインキタンクと、前記インキ吸蔵体と前記インキタンクとの間を接続する複数本の流通路を有する共同連通管と、を備え、前記共同連通管の前端部は、前記インキ吸蔵体の内部に位置していて、前記流通路の各々が前記インキ吸蔵体の外周側に向いた傾斜面内において開口部を有するような形状を有しており、前記共同連通管は、前記各開口部に隣接して前記各開口部よりも前方に延在する先端領域を有しており、前記先端領域は、前記共同連通管が前記インキ吸蔵体の後端から前方に挿入される時に当該インキ吸蔵体の内部を押圧圧縮できる押圧圧縮部を構成していることを要件とする。
【００２４】
本発明によれば、前記共同連通管の前端部が、前記流通路の各々が前記インキ吸蔵体の外周側に向いた傾斜面内において開口部を有するような形状を有しており、且つ、前記共同連通管は、前記各開口部に隣接して前記各開口部よりも前方に延在する先端領域を有しており、当該先端領域がインキ吸蔵体の内部を押圧圧縮できる押圧圧縮部を構成しているという特徴のために、共同連通管の先端領域の近傍でインキ吸蔵体が過度に圧縮されるおそれがなく、ペン先からの十分なインキ吐出性が得られる。特に、細身の軸筒を得るために軸筒の外径を小さくし、それに伴いインキ吸蔵体の外径及び共同連通管の各開口部間の間隔を小さくしても、共同連通管の先端領域の近傍でインキ吸蔵体は適度に圧縮され、インキ吸蔵体の内部における共同連通管の先端領域の近傍において適正な（所望の）高密度部を形成でき、結果として、各々の流通路を介してインキと空気との交替をスムーズに行うことができ、ペン先からのインキ吐出性が低下するおそれがない。
【００２５】
例えば、前記共同連通管の前端部は、各々が前記インキ吸蔵体の外周側に向いた複数の傾斜面を有するように形成されており、前記流通路の各々が、前記複数の傾斜面の各々に対応していて、対応する傾斜面内において開口部を有している。
【００２６】
この場合、流通路の本数は２本であることが好ましい。２本である場合、１本がインキ供給用に作用する一方で、他の１本が空気置換用に作用するため、インキと空気との交替を極めて高効率に行うことができる。
【００２７】
また、この場合、複数の傾斜面の各々は、平面状であってもよいし、凸曲面状であってもよいし、凹曲面状であってもよい。
【００２８】
あるいは、例えば、前記共同連通管の前端部は、軸線回りに回転対称な回転体形状を有している。更に詳しくは、前記共同連通管の前端部は、円錐形状または切頭円錐形状を有し得る。あるいは、前記共同連通管の前端部は、球面形状を有し得る。
【００２９】
続いて、本願の更なる発明（第７の発明）の直液式筆記具は、ペン先と、前記ペン先の後端に接続される筒状のインキ吸蔵体と、前記インキ吸蔵体の後方に配置されるインキタンクと、前記インキ吸蔵体と前記インキタンクとの間を接続する連通管と、を備え、前記連通管の前端部は、前記インキ吸蔵体の内部に位置していて、複数の開口部の各々が前記インキ吸蔵体の外周側に向いた傾斜面内において開口するような形状を有しており、前記連通管は、前記各開口部に隣接して前記各開口部よりも前方に延在する先端領域を有しており、前記先端領域は、前記連通管が前記インキ吸蔵体の後端から前方に挿入される時に当該インキ吸蔵体の内部を押圧圧縮できる押圧圧縮部を構成していることを要件とする。
【００３０】
本発明によれば、前記連通管の前端部が、複数の開口部の各々が前記インキ吸蔵体の外周側に向いた傾斜面内において開口するような形状を有しており、且つ、前記連通管は、前記各開口部に隣接して前記各開口部よりも前方に延在する先端領域を有しており、当該先端領域がインキ吸蔵体の内部を押圧圧縮できる押圧圧縮部を構成しているという特徴のために、連通管の先端領域の近傍でインキ吸蔵体が過度に圧縮されるおそれがなく、ペン先からの十分なインキ吐出性が得られる。特に、細身の軸筒を得るために軸筒の外径を小さくし、それに伴いインキ吸蔵体の外径及び連通管の各開口部間の間隔を小さくしても、連通管の先端領域の近傍でインキ吸蔵体は適度に圧縮され、インキ吸蔵体の内部における連通管の先端領域の近傍において適正な（所望の）高密度部を形成でき、結果として、各々の開口部を介してインキと空気との交替をスムーズに行うことができ、ペン先からのインキ吐出性が低下するおそれがない。
【００３１】
例えば、前記連通管の前端部は、各々が前記インキ吸蔵体の外周側に向いた複数の傾斜面を有するように形成されており、前記開口部の各々が、前記複数の傾斜面の各々に対応していて、対応する傾斜面内において開口している。
【００３２】
この場合、開口部の数は２個であることが好ましい。２個である場合、１個がインキ供給用に作用する一方で、他の１個が空気置換用に作用するため、インキと空気との交替を極めて高効率に行うことができる。
【００３３】
また、この場合、複数の傾斜面の各々は、平面状であってもよいし、凸曲面状であってもよいし、凹曲面状であってもよい。
【００３４】
あるいは、例えば、前記連通管の前端部は、軸線回りに回転対称な回転体形状を有している。更に詳しくは、前記連通管の前端部は、円錐形状または切頭円錐形状を有し得る。あるいは、前記連通管の前端部は、球面形状を有し得る。
【図面の簡単な説明】
【００３５】
【図１】本発明の第1の実施の形態の直液式筆記具の縦断面図である。
【図２】図１の要部拡大縦断面図である。
【図３】図２のＡ−Ａ線断面図である。
【図４】図２の連通管の前端の斜視図である。
【図５】本発明の第２の実施の形態の直液式筆記具の要部拡大縦断面図である。
【図６】図５のＡ−Ａ線断面図である。
【図７】図５の連通管の前端の斜視図である。
【図８】本発明の第３の実施の形態の直液式筆記具の共同連通管の前端の斜視図である。
【図９】図８の共同連通管の前端の縦断面図である。
【図１０】本発明の第４の実施の形態の直液式筆記具の共同連通管の前端の斜視図である。
【図１１】図１０の共同連通管の前端の縦断面図である。
【図１２】本発明の第５の実施の形態の直液式筆記具の共同連通管の前端の斜視図である。
【図１３】図１２の共同連通管の前端の縦断面図である。
【図１４】本発明の第６の実施の形態の直液式筆記具の共同連通管の前端の斜視図である。
【図１５】図１４の共同連通管の前端の縦断面図である。
【図１６】図８及び図９の共同連通管の変形例の前端の縦断面図である。
【図１７】図１０及び図１１の共同連通管の変形例の前端の縦断面図である。
【図１８】図１２及び図１３の共同連通管の変形例の前端の縦断面図である。
【図１９】図１４及び図１５の共同連通管の変形例の前端の縦断面図である。
【図２０】図８及び図９並びに図１６の共同連通管の更なる変形例の前端の縦断面図である。
【図２１】図１０及び図１１並びに図１７の共同連通管の更なる変形例の前端の縦断面図である。
【図２２】図１２及び図１３並びに図１８の共同連通管の更なる変形例の前端の縦断面図である。
【図２３】図１４及び図１５並びに図１９の共同連通管の更なる変形例の前端の縦断面図である。
【発明を実施するための形態】
【００３６】
［第１の実施の形態］
本発明の直液式筆記具の第１の実施の形態を図１乃至図４に示す。図１は、本発明の第1の実施の形態の直液式筆記具１の縦断面図であり、図２は、図１の要部拡大縦断面図であり、図３は、図２のＡ−Ａ線断面図であり、図４は、図２の連通管の前端の斜視図である。第１の実施の形態は、前記第１の発明乃至第５の発明に関している。
【００３７】
図１に示すように、本実施の形態の直液式筆記具１は、ペン先２と、前記ペン先２の後端に接続されるインキ吸蔵体３と、前記インキ吸蔵体３の後方に配置される中間部材７と、前記中間部材７の後方に配置されるインキタンク４と、前端部で前記ペン先２を保持する軸筒８と、ペン先２側に着脱自在に設けられるキャップ（図示せず）と、からなっている。前記軸筒８の内部に、前記インキ吸蔵体３、前記中間部材７、及び、前記インキタンク４の前部、が収容されている。以下、各構成要素毎に詳細を説明していく。
【００３８】
・ペン先
本実施の形態のペン先２は、合成樹脂製繊維（例えば、ポリエステル繊維、アクリル繊維、ナイロン繊維等）から樹脂加工によって製造された棒状体である。ペン先２の前端は、砲弾状に研削されている。
【００３９】
・インキ吸蔵体
図１及び図２に示すように、本実施の形態のインキ吸蔵体３は、円柱状の合成樹脂製繊維束（例えば、ポリエステル繊維束）の加工体からなる。インキ吸蔵体３の外周面には、合成樹脂製の円筒状の外皮が被覆されている。インキ吸蔵体３の前端面の軸心に、ペン先２の後端が突き刺し挿入されるようになっている。そして、当該突き刺し挿入の結果、ペン先２の後端がインキ吸蔵体３の内部に位置されるようになっている。
【００４０】
・軸筒
本実施の形態の軸筒８は、合成樹脂（例えば、ポリプロピレン、ポリエチレン等）から射出成形によって製造された筒状体である。図１に示すように、軸筒８は、ペン先２外周面を保持する先細部と、当該先細部より後方に連設されインキ吸蔵体３及び中間部材７が収容される本体部と、からなる。
【００４１】
軸筒８（本体部）の後端開口部に、インキタンク４が着脱自在に取り付けされるようになっている。具体的には、インキタンク４の前部外周面に雄ネジ４１ａが形成されていて、軸筒８（本体部）の後端開口部の内周面に雌ネジ８１が形成されていて、両者が螺合することでインキタンク４の前部外周面と軸筒８（本体部）の後端開口部の内周面とが互いに着脱自在に取り付けられるようになっている。
【００４２】
・中間部材
本実施の形態の中間部材７は、合成樹脂（例えば、ポリプロピレン、ポリエチレン等）から射出成形よって製造される。図１に示すように、中間部材７は、インキ吸蔵体３とインキタンク４とを区画する隔壁７１と、当該隔壁７１の前面より前方に突出され且つインキ吸蔵体３の内部に突き刺し接続される複数本（具体的には２本であるが、後述のように一体に連結されている）の連通管５と、隔壁７１の後面より後方に突出され且つインキタンク４の前端開口部に挿着される接続管７２と、隔壁７１の前面より前方に突出し且つ軸筒８内面（本体部内面）に固着される取付筒部７３と、を有している。
【００４３】
軸筒８、隔壁７１及び取付筒部７３によって形成される空間が、吸蔵体収容部を構成しており、その中にインキ吸蔵体３が収容されている。
【００４４】
また、本実施の形態においては、隔壁７１の後面の軸心に、後方に突出する棒状部７４が一体に形成されている。当該棒状部７４は、後述するように、インキタンク４の栓体４３を後方に押圧するようになっている。
【００４５】
本実施の形態においては、接続管７２の内面とインキタンク４の前端部外面とが嵌合される構造が採用されている。しかしながら、接続管７２の外面とインキタンク４の前端部内面とが嵌合される構造が採用されてもよい。
【００４６】
その他、本実施の形態において、隔壁７１は円板状であり、各々の連通管５、接続管７２、及び、取付筒部７３は、それぞれ円筒状である。
【００４７】
そして、本実施の形態においては、隔壁７１、各々の連通管５、接続管７２、取付筒部７３、及び棒状部７４は、一体に連設されている。即ち、中間部材７として、隔壁７１、各々の連通管５、接続管７２、取付筒部７３、及び棒状部７４が一部品で構成されている。
【００４８】
・連通管
連通管５の各々の内部には、軸方向に流通路５３が設けられており、当該流通路５３は、連通管５の各々の両端にて開口されている。連通管５の各々の前端は、インキ吸蔵体３の内部に開口されており、連通管５の各々の後端は、インキ吸蔵体３の後方のインキタンク４内に開口されている。各々の連通管５は、インキ吸蔵体３とインキタンク４との間に並列に配置されていて、すなわち、インキ吸蔵体３とインキタンク４との間に独立した複数本（具体的には２本）の流通路５３が並列に設けられている。本実施の形態の流通路５３は、それぞれ、接続管７２の内側に位置する隔壁７１の領域内で、軸心を外れた箇所（軸心から離れた箇所）を貫通している。本実施の形態では、連通管５の各々の流通路５３は、横断面円形状を有している。
【００４９】
・傾斜面
本実施の形態の連通管５の各々の前端部には、傾斜面５２が形成されている。当該傾斜面５２は、インキ吸蔵体３の外周側に向いた傾斜面であり、すなわち、前方に向かうに従って径方向内方に向かう形状を有している。換言すれば、傾斜面５２は、前方に向かうに従って中間部材７の軸心及びインキ吸蔵体３の軸心に接近する形状を有している。
【００５０】
そして、各連通管５（各流通路５３）の開口部５１が、インキ吸蔵体３の外周側に向いた傾斜面（径方向外方に向いた傾斜面）５２内に形成されている（開口されている）。開口部５１は、傾斜面５２の真上からは楕円形状に見える。
【００５１】
連通管５の前端部の傾斜面５２は、具体的には、平面状、凸曲面状、凹曲面状等であり得る。本実施の形態では、平面状の傾斜面５２が採用されている。
【００５２】
・連結部
本実施の形態では、各々の連通管５の側壁は、連結部６によって一体に連結されている。連結部６の前端は、各々の連通管５の開口部５１より前方に位置している。そして、連結部６の前端部も、インキ吸蔵体３の外周側に向いた傾斜面６１、すなわち前方に向かうに従って径方向内方に向かう傾斜面６１、を有している。換言すれば、傾斜面６１は、前方に向かうに従って中間部材７の軸心及びインキ吸蔵体３の軸心に接近する形状を有している。
【００５３】
本実施の形態では、連結部６の傾斜面６１は、複数個（具体的には２個）が形成されている。そして、各傾斜面６１は、具体的には、平面状、凸曲面状、凹曲面状等であり得るが、本実施の形態では、平面状の傾斜面６１が採用されて、隣接する連通管５の傾斜面５２と滑らかに連続している。
【００５４】
一方、本実施の形態では、複数個（具体的には２個）の傾斜面６１は、傾斜面５２に連続する側とは反対側で互いに隣接（所定角度（この場合９０°：図１参照）をなすように交差）していて、連結部６の最前端（先端）に稜線状の頂部６２が形成されている。本実施の形態では、連結部６の頂部６２は、インキ吸蔵体３の軸心と直交するように位置している。
【００５５】
・高密度部
連通管５の各々の前端及び連結部６の前端は、一体的にインキ吸蔵体３の後端から前方に突き刺し挿入され、インキ吸蔵体３の内部のペン先２の後端近傍に位置決めされている。連通管５の各々の前端及び連結部６の前端がインキ吸蔵体３に突き刺し挿入される際、連通管５の各々の前端及び連結部６の前端がインキ吸蔵体３の繊維を掻き分けながらインキ吸蔵体３の繊維を前方に押圧圧縮する。特に、連通管５の各々の開口部５１よりも前方に延在する先端領域５２ｄと連結部６の開口部５１よりも前方に延在する領域６１ｄとが、協働して押圧圧縮部として作用する。この押圧圧縮作用により、各々の連通管５の前端近傍のインキ吸蔵体３の繊維密度が、各々の連通管５の前端近傍以外の部分のインキ吸蔵体３の繊維密度よりも、高くなる。すなわち、インキ吸蔵体３内部において、各々の連通管５の前端近傍に繊維密度の高い高密度部３１が形成され、同時に、各々の連通管５の前端近傍以外に繊維密度の低い低密度部３２が形成される（図１参照）。
【００５６】
繊維密度の高い高密度部３１は、相対的に毛細管力が大きく、繊維密度の低い低密度部３２は、相対的に毛細管力が小さい。このため、インキ吸蔵体３内部におけるインキは、低密度部３２よりも高密度部３１に優先的に含浸され得る。そして、高密度部３１に含浸されたインキは、連通管５の各々の開口部５１を確実に液シールする。これにより、インキタンク４のインキがペン先２側から過剰に漏出することが効果的に防止される。
【００５７】
前述の通り、連通管５の各々の前端は、インキ吸蔵体３の軸心から離れた位置に配置されている。好ましくは、連通管５の各々の前端は、インキ吸蔵体３の軸心を中心とする同一円周上に互いに等間隔で配置される。本実施の形態では、連通管５の本数が２本であるので、当該２本の連通管５がインキ吸蔵体３の軸心に対して１８０度対称位置に配置されている。一方、ペン先２はインキ吸蔵体３の軸心に位置している。従って、連通管５の各々の前端は、ペン先２の後端と直接接続されることはなく（非接触状態）、インキ吸蔵体３の内部、特に高密度部３１を介して、ペン先２とインキ流通可能になっている。なお、連通管５の各々の前端は、ペン先２の後端より後方に位置していることが好ましい。
【００５８】
・インキタンク
図１に示すように、本実施の形態のインキタンク４は、前端が開口し後端が閉鎖された有底筒状の本体４１と、当該本体４１の前端開口部の内面に固着される筒状の先口体４２と、当該先口体４２の内面に嵌着される栓体４３と、からなっている。本体４１及び先口体４２は、合成樹脂から射出成形によって製造される。栓体４３は、金属製または合成樹脂製のボールからなる。
【００５９】
本体４１の外周面に、雄ネジ４１ａと、当該雄ネジ４１ａの後方に位置する鍔部４１ｂと、が一体に形成されている。本体４１の雄ネジ４１ａは、軸筒８の後端開口部内周面に形成された雌ネジ８１と螺合されるようになっている。インキタンク４の接続完了時、鍔部４１ｂが軸筒８の後端に当接されるようになっている。
【００６０】
インキタンク４は、軸筒８に接続される前には、栓体４３によって閉鎖されている。使用時に、中間部材７の棒状部７４によって栓体４３がインキタンク４内に押し込まれて外されることで、インキタンク４は開栓される。インキタンク４内には、直にインキ９が貯溜されている。インキタンク４内に貯溜されるインキ９の種類は、水性インキ、油性インキのいずれであってもよい。
【００６１】
インキタンク４の前端開口部の外面（より詳しくは、先口体４２の前端部の外周面）には、中間部材７の接続管７２の内面が着脱自在に嵌着されている。インキタンク４のインキが消費され筆記不能となった場合、使用済のインキタンク４は接続管７２から取り外され、内部にインキが十分に充填されている新たなインキタンク４が接続管７２に挿着される。これにより、再び、筆記可能となる。ここで、新たなインキタンク４の前端開口部５１は、栓体４３により閉鎖されているが、接続管７２をインキタンク４の前端開口部５１に挿着する際、栓体４３が棒状部７４によって後方に押圧されて外されて開栓される。
【００６２】
本実施の形態の直液式筆記具１は、前記第１の発明に対応しており、前記連通管５の各々の前端が、前方に向かうに従って径方向内方に向かう傾斜面５２を備え、前記連通管５の各々の前端開口部５１が径方向外方に向かって開口してなることにより、各々の連通管５の前端近傍でインキ吸蔵体３が過度に圧縮されることなく、ペン先２からの十分なインキ吐出性が得られる。特に、本実施の形態の直液式筆記具１は、細身の軸筒８を得るために軸筒８の外径を小さくし、それに伴いインキ吸蔵体３の外径及び各々の連通管５の前端開口部５１の間隔を小さくしても、各々の連通管５の前端近傍でインキ吸蔵体３が適度に圧縮され、インキ吸蔵体３の内部における各々の連通管５の前端近傍に適正な高密度部３１を形成でき、各々の連通管５を介してインキと空気の交替をスムーズに行うことができ、ペン先２からのインキ吐出性が低下することがない。
【００６３】
また、本実施の形態の直液式筆記具１は、前記第２の発明に対応しており、前記連通管５の各々の側壁を連結部６により連結し、前記連結部６の前端を前記連通管５の各々の前端開口部５１より前方に位置させたことにより、より一層、各々の連通管５の前端近傍でインキ吸蔵体３が適度に圧縮され、インキ吸蔵体３の内部における各々の連通管５の前端近傍に適正な高密度部３１を形成できる。
【００６４】
また、本実施の形態の直液式筆記具１は、前記第３の発明に対応しており、前記連結部６の前端が前方に向かうに従って径方向内方に向かう傾斜面６１を複数備え、前記連結部６の前端の各々の傾斜面６１と前記連通管５の前端の各々の傾斜面５２とを連続的に接続させたことにより、より一層、各々の連通管５のインキ吸蔵体３へのスムーズな挿入が可能となり、インキ吸蔵体３の内部における各々の連通管５の前端近傍に適正な高密度部３１を形成できる。
【００６５】
また、本実施の形態の直液式筆記具１は、前記第４の発明に対応しており、前記連通管５の前端が平面状の傾斜面５２であることにより、より一層、各々の連通管５のインキ吸蔵体３へのスムーズな挿入が可能となり、インキ吸蔵体３の内部における各々の連通管５の前端近傍に適正な高密度部３１を形成できる。
【００６６】
また、本実施の形態の直液式筆記具１は、前記第５の発明に対応しており、前記連通管５の各々が、前記インキ吸蔵体３の外周側に向いた傾斜面５２を有するように形成されており、前記傾斜面５２内において開口部５１を有しており、且つ、前記開口部５１に隣接して前記開口部５１よりも前方に延在する先端領域５２ｄを有しており、当該先端領域５２ｄがインキ吸蔵体３の内部を押圧圧縮できる押圧圧縮部を構成しているという特徴のために、連通管５の各々の先端領域５２ｄの近傍でインキ吸蔵体３が過度に圧縮されるおそれがなく、ペン先２からの十分なインキ吐出性が得られる。特に、細身の軸筒８を得るために軸筒８の外径を小さくし、それに伴いインキ吸蔵体３の外径及び各々の連通管５の開口部５１の間隔を小さくしても、各々の連通管５の先端領域５２ｄの近傍でインキ吸蔵体３は適度に圧縮され、インキ吸蔵体３の内部における各々の連通管５の先端領域５２ｄの近傍において適正な（所望の）高密度部３１を形成でき、結果として、各々の連通管５を介してインキと空気との交替をスムーズに行うことができ、ペン先２からのインキ吐出性が低下するおそれがない。
【００６７】
また、本実施の形態の直液式筆記具１では、連通管５の各々の側壁が連結部６によって連結されているため、各々の連通管５のインキ吸蔵体３への挿入がより容易である。
【００６８】
また、本実施の形態の直液式筆記具１では、連結部６の前端側の領域６１ｄが、連通管５の各々の開口部５１よりも前方に延在していて、連通管５の各々の先端領域５２ｄと共に押圧圧縮部を構成しているため、インキ吸蔵体３が、各々の連通管５の先端領域５２ｄの近傍で、より一層適度に圧縮されて、より一層適正な高密度部３１を形成している。結果として、各々の連通管５を介してインキと空気との交替をより一層スムーズに行うことができる。
【００６９】
また、本実施の形態の直液式筆記具１では、連結部６の前端側の領域６１ｄは、連通管５の各々の傾斜面５２と連続する１以上の連結部傾斜面を有しているため、各々の連通管５のインキ吸蔵体３への挿入をより一層スムーズに行うことができる。また、この特徴は、インキ吸蔵体３が、各々の連通管５の先端領域５２ｄの近傍で、より一層適度に圧縮されて、より一層適正な高密度部３１を形成できることにも寄与していると考えられる。
【００７０】
また、本実施の形態の直液式筆記具１では、連通管５の本数が２本であって、１本がインキ供給用に作用する一方で、他の１本が空気置換用に作用するため、インキと空気との交替を極めて高効率に行うことができる。
【００７１】
なお、本実施の形態において、連通管５の各々の開口部５１よりも前方に延在する先端領域５２ｄと連結部６の開口部５１よりも前方に延在する領域６１ｄとが、協働して押圧圧縮部として作用することが重要である。本実施の形態では、稜線状の頂部６２の長さＬ（図４参照）がαｍｍであり、２つの流路部５３の離間距離Ｇ（図３参照）がβｍｍであり、すなわち、２つの開口部５１の間で、前方側から見て（図４の矢印方向から見て）少なくともαｍｍ×βｍｍの矩形領域が効果的に押圧圧縮作用を果たしていることが重要である。なお、頂部６２の長さＬは、例えば０．５ｍｍ〜４．０ｍｍの範囲から選択され得るし、２つの流路部５３の離間距離Ｇは、例えば０．５ｍｍ〜３．０ｍｍの範囲から選択され得る。
【００７２】
本実施の形態の他のサイズに関して補足すれば、インキ吸蔵体３の直径は５〜１３ｍｍ程度であり、各流路部５３の横断面は円形状で、その直径ｄ（図３参照）は０．５〜３．０ｍｍ程度であり、各連通管５の外径Ｄ（図３参照）は直径１．５〜５．０ｍｍ程度であり、頂部６２とペン先２の後端との間の距離ａ（図１参照）は、１．０〜１０ｍｍ程度である。
【００７３】
［第２の実施の形態：スリット状の間隙］
なお、以上の第１の実施の形態では、２つの連通管５の側壁同士が連結部６によって連結されていたが、両者が連結されていない態様も採用可能である。そのような第２の実施の形態を、図５乃至図７に示す。
【００７４】
図５は、本発明の第２の実施の形態の直液式筆記具１２の要部拡大縦断面図であり、図６は、図５のＡ−Ａ線断面図であり、図７は、図５の連通管の前端の斜視図である。第２の実施の形態は、前記第１の発明及び前記第５の発明に関している。
【００７５】
図５乃至図７に示すように、本実施の形態の直液式筆記具１２は、２つの連通管５が連結部で連結されておらず、両者の間にスリット状の間隙１２１が存在している。スリット状の間隙１２１の離間幅Ｓは、０．５〜２．０ｍｍである。
【００７６】
本実施の形態のその他の構成は、第1の実施の形態の直液式筆記具１と同様である。図５乃至図７において、第１の実施の形態と同様の構成部分には同様の符号を付し、その詳細な説明は省略する。本実施の形態の各サイズについても、第１の実施の形態と略同様である。
【００７７】
本実施の形態によっても、第１の実施の形態と略同様の作用効果が得られる。すなわち、連通管５の各々の先端領域５２ｄの近傍でインキ吸蔵体３が過度に圧縮されるおそれがなく、ペン先２からの十分なインキ吐出性が得られる。特に、細身の軸筒８を得るために軸筒８の外径を小さくし、それに伴いインキ吸蔵体３の外径及び各々の連通管５の開口部５１の間隔を小さくしても、各々の連通管５の先端領域５２ｄの近傍でインキ吸蔵体３は適度に圧縮され、インキ吸蔵体３の内部における各々の連通管５の先端領域５２ｄの近傍において適正な（所望の）高密度部３１を形成でき、結果として、各々の連通管５を介してインキと空気との交替をスムーズに行うことができ、ペン先２からのインキ吐出性が低下するおそれがない。
【００７８】
［第３の実施の形態：共同連通管］
また、第1の実施の形態では、２つの連通管５の側壁同士が連結部６によって連結されていたが、それらを最初から一体化した態様、すなわち、各々が流通路５３を有する２つの連通管５に代えて、２つの流通路５３を有する共同連通管１３１を備えた態様も採用可能である。そのような第３の実施の形態を、図８及び図９に示す。
【００７９】
図８は、本発明の第３の実施の形態の直液式筆記具の共同連通管１３１の前端の斜視図であり、図９は、図８の共同連通管１３１の前端の縦断面図である。第３の実施の形態は、前記第１乃至第４の発明及び前記第５の発明に関している。
【００８０】
図８及び図９に示すように、本実施の形態の直液式筆記具は、各々が流通路５３を有する２つの連通管５を備える代わりに、２つの流通路５３を有する共同連通管１３１を備えている。
【００８１】
共同連通管１３１の前端部は、インキ吸蔵体３の内部に位置していて、流通路５３の各々がインキ吸蔵体３の外周側に向いた傾斜面１３２内において開口部５１を有するような形状を有している。また、共同連通管１３１は、各開口部５１に隣接して各開口部５１よりも前方に延在する先端領域１３３を有している。この先端領域１３３が、共同連通管１３１がインキ吸蔵体３の後端から前方に挿入される時にインキ吸蔵体３の内部を押圧圧縮できる押圧圧縮部を構成している。
【００８２】
更に、本実施形態では、共同連通管１３１の前端部は、各々がインキ吸蔵体３の外周側に向いた２個の傾斜面１３２を有するように形成されており、流通路５３の各々が、２個の傾斜面の各々に対応して、対応する傾斜面１３２内において開口部５１を有している。そして、２個の傾斜面１３２は、互いに隣接（所定角度（この場合１２０°：図９参照）をなすように交差）していて、共同連通管１３１の最前端（先端）に稜線状の頂部１３４が形成されている。本実施の形態の頂部１３４も、インキ吸蔵体３の軸心と直交するように位置している。
【００８３】
本実施の形態のその他の構成は、第1の実施の形態の直液式筆記具１と同様である。図８及び図９において、第１の実施の形態と同様の構成部分には同様の符号を付し、その詳細な説明は省略する。本実施の形態の各サイズについても、第１の実施の形態と略同様である。
【００８４】
本実施の形態によっても、第１の実施の形態と同様の作用効果が得られる。すなわち、共同連通管１３１の先端領域１３３の近傍でインキ吸蔵体３が過度に圧縮されるおそれがなく、ペン先２からの十分なインキ吐出性が得られる。特に、細身の軸筒８を得るために軸筒８の外径を小さくし、それに伴いインキ吸蔵体３の外径及び共同連通管１３１の外径を小さくしても、共同連通管１３１の先端領域１３３の近傍でインキ吸蔵体３は適度に圧縮され、インキ吸蔵体３の内部における共同連通管１３１の先端領域１３３の近傍において適正な（所望の）高密度部３１を形成でき、結果として、各々の流通路５３を介してインキと空気との交替をスムーズに行うことができ、ペン先２からのインキ吐出性が低下するおそれがない。
【００８５】
［第４の実施の形態：傾斜面連続］
ここで、第1の実施の形態及び第３の実施の形態では、連結部９または共同連通管１３１の最前端（先端）に稜線状の頂部６２、１３４が形成されているが、本発明はそのような態様に限定されないで、稜線状の頂部が形成されない態様も採用可能である。そのような第４の実施の形態を、図１０及び図１１に示す。
【００８６】
図１０は、本発明の第４の実施の形態の直液式筆記具の共同連通管１４１の前端の斜視図であり、図１１は、図１０の共同連通管１４１の前端の縦断面図である。第４の実施の形態は、前記第１乃至第３の発明及び前記第５の発明に関している。
【００８７】
図１０及び図１１に示すように、共同連通管１４１の前端部も、インキ吸蔵体３の内部に位置していて、流通路５３の各々がインキ吸蔵体３の外周側に向いた傾斜面１４２内において開口部５１を有するような形状を有している。また、共同連通管１４１も、各開口部５１に隣接して各開口部５１よりも前方に延在する先端領域１４３を有している。この先端領域１４３が、共同連通管１４１がインキ吸蔵体３の後端から前方に挿入される時にインキ吸蔵体３の内部を押圧圧縮できる押圧圧縮部を構成している。
【００８８】
また、図１０及び図１１に示すように、本実施の形態の直液式筆記具でも、共同連通管１４１の前端部は、各々がインキ吸蔵体３の外周側に向いた２個の傾斜面１４２を有するように形成されており、流通路５３の各々が、２個の傾斜面１４２の各々に対応して、対応する傾斜面１４２内において開口部５１を有している。
【００８９】
しかし、２個の傾斜面１４２は、互いに滑らかに連続する同一の曲率を有する凸曲面であって、共同連通管１３１の最前端（先端）に稜線状の頂部を形成していない。連続する２個の傾斜面１４２の曲率半径（図１１参照）は、例えば３．０ｍｍである。
【００９０】
本実施の形態のその他の構成は、第３の実施の形態の直液式筆記具と同様である。図１０及び図１１において、第３の実施の形態と同様の構成部分には同様の符号を付し、その詳細な説明は省略する。本実施の形態の各サイズについても、第１の実施の形態と略同様である。
【００９１】
本実施の形態によっても、第３の実施の形態と同様の作用効果が得られる。すなわち、共同連通管１４１の先端領域１４３の近傍でインキ吸蔵体３が過度に圧縮されるおそれがなく、ペン先２からの十分なインキ吐出性が得られる。特に、細身の軸筒８を得るために軸筒８の外径を小さくし、それに伴いインキ吸蔵体３の外径及び共同連通管１４１の外径を小さくしても、共同連通管１４１の先端領域１４３の近傍でインキ吸蔵体３は適度に圧縮され、インキ吸蔵体３の内部における共同連通管１４１の先端領域１４３の近傍において適正な（所望の）高密度部３１を形成でき、結果として、各々の流通路５３を介してインキと空気との交替をスムーズに行うことができ、ペン先２からのインキ吐出性が低下するおそれがない。
【００９２】
［第５の実施の形態：円錐面］
共同連通管の前端部の形状としては、軸線回りに回転対称な回転体形状を採用することもできる。そのような第５の実施の形態を、図１２及び図１３に示す。
【００９３】
図１２は、本発明の第５の実施の形態の直液式筆記具の共同連通管１５１の前端の斜視図であり、図１３は、図１２の共同連通管１５１の前端の縦断面図である。第５の実施の形態は、前記第１乃至第３の発明及び前記第５の発明に関している。
【００９４】
図１２及び図１３に示すように、共同連通管１５１の前端部も、インキ吸蔵体３の内部に位置していて、流通路５３の各々がインキ吸蔵体３の外周側に向いた傾斜面１５２内において開口部５１を有するような形状を有している。また、共同連通管１５１も、各開口部５１に隣接して各開口部５１よりも前方に延在する先端領域１５３を有している。この先端領域１５３が、共同連通管１５１がインキ吸蔵体３の後端から前方に挿入される時にインキ吸蔵体３の内部を押圧圧縮できる押圧圧縮部を構成している。
【００９５】
そして、図１２及び図１３に示すように、本実施の形態の直液式筆記具では、共同連通管１５１の前端部が、円錐形状の傾斜面１５２を有するように形成されており、２つの流通路５３が、断面直径方向に対をなすように、円錐形状の傾斜面１５２内において開口部５１を有している。本実施の形態の当該円錐形状では、図１３に示すように、頂点１５４を通る断面において母線がなす角度が略９０°である。
【００９６】
本実施の形態のサイズに関して補足すれば、インキ吸蔵体３の直径は５〜１３ｍｍ程度であり、共同連通管１５１の外径Ｄは直径３．０〜９．０ｍｍ程度であり、各流路部５３の横断面は円形状で、その直径ｄは０．５〜３．０ｍｍ程度であり、頂点１５４とペン先２の後端との間の距離ａ（図１参照）は、１．０〜１０ｍｍ程度である。また、２つの流路部５３の離間距離Ｇはγｍｍであり、すなわち、２つの開口部５１の間で、前方側から見て（図１３の矢印方向から見て）少なくともγｍｍ×γｍｍの矩形領域が効果的に押圧圧縮作用を果たす。本実施の形態において、２つの流路部５３の離間距離Ｇは、例えば０．５ｍｍ〜４．０ｍｍの範囲から選択され得る。
【００９７】
本実施の形態のその他の構成は、第３の実施の形態の直液式筆記具と同様である。図１２及び図１３において、第３の実施の形態と同様の構成部分には同様の符号を付し、その詳細な説明は省略する。
【００９８】
本実施の形態によっても、第３の実施の形態と同様の作用効果が得られる。すなわち、共同連通管１５１の先端領域１５３の近傍でインキ吸蔵体３が過度に圧縮されるおそれがなく、ペン先２からの十分なインキ吐出性が得られる。特に、細身の軸筒８を得るために軸筒８の外径を小さくし、それに伴いインキ吸蔵体３の外径及び共同連通管１５１の外径を小さくしても、共同連通管１５１の先端領域１５３の近傍でインキ吸蔵体３は適度に圧縮され、インキ吸蔵体３の内部における共同連通管１５１の先端領域１５３の近傍において適正な（所望の）高密度部３１を形成でき、結果として、各々の流通路５３を介してインキと空気との交替をスムーズに行うことができ、ペン先２からのインキ吐出性が低下するおそれがない。
【００９９】
なお、本実施の形態においては、共同連通管１５１の最前端（先端）に頂点１５４が形成されているが、頂点が丸められて最前端（先端）近傍が球面状になっている態様や、共同連通管１５１の前端部が切頭円錐形状を有している態様も、採用可能である。
【０１００】
［第６の実施の形態：球面］
共同連通管の前端部の形状として、球面形状を採用することもできる。球面形状は、軸線回りに回転対称な回転体形状の一態様である。そのような第６の実施の形態を、図１４及び図１５に示す。
【０１０１】
図１４は、本発明の第６の実施の形態の直液式筆記具の共同連通管１６１の前端の斜視図であり、図１５は、図１４の共同連通管１６１の前端の縦断面図である。第６の実施の形態は、前記第１乃至第３の発明及び前記第５の発明に関している。
【０１０２】
図１４及び図１５に示すように、共同連通管１６１の前端部も、インキ吸蔵体３の内部に位置していて、流通路５３の各々がインキ吸蔵体３の外周側に向いた傾斜面１６２内において開口部５１を有するような形状を有している。また、共同連通管１６１も、各開口部５１に隣接して各開口部５１よりも前方に延在する先端領域１６３を有している。この先端領域１６３が、共同連通管１６１がインキ吸蔵体３の後端から前方に挿入される時にインキ吸蔵体３の内部を押圧圧縮できる押圧圧縮部を構成している。
【０１０３】
そして、図１４及び図１５に示すように、本実施の形態の直液式筆記具では、共同連通管１６１の前端部が、球面形状の傾斜面１６２を有するように形成されており、２つの流通路５３が、断面直径方向に対をなすように、球面形状の傾斜面１６２内において開口部５１を有している。本実施の形態の当該球面形状の曲率半径（図１５参照）は、例えば３．０ｍｍである。
【０１０４】
本実施の形態のその他の構成は、第５の実施の形態の直液式筆記具と同様である。図１４及び図１５において、第５の実施の形態と同様の構成部分には同様の符号を付し、その詳細な説明は省略する。本実施の形態の各サイズについても、第５の実施の形態と略同様である。
【０１０５】
本実施の形態によっても、第５の実施の形態と同様の作用効果が得られる。すなわち、共同連通管１６１の先端領域１６３の近傍でインキ吸蔵体３が過度に圧縮されるおそれがなく、ペン先２からの十分なインキ吐出性が得られる。特に、細身の軸筒８を得るために軸筒８の外径を小さくし、それに伴いインキ吸蔵体３の外径及び共同連通管１６１の外径を小さくしても、共同連通管１６１の先端領域１６３の近傍でインキ吸蔵体３は適度に圧縮され、インキ吸蔵体３の内部における共同連通管１６１の先端領域１６３の近傍において適正な（所望の）高密度部３１を形成でき、結果として、各々の流通路５３を介してインキと空気との交替をスムーズに行うことができ、ペン先２からのインキ吐出性が低下するおそれがない。
【０１０６】
本実施の形態においては、共同連通管１６１の前端部の傾斜面１６２は、均一の曲率半径を有する球面形状として形成されているが、軸心を含む領域と周辺領域と（場合によっては、更にそれらの間の１以上の中間領域と）の間で、曲率半径が異っていてもよい。
【０１０７】
［変形例］
以上の各実施の形態の直液式筆記具において、流通路５３同士が途中で互いに連通している態様も、本発明の実施の形態として採用可能である。例として、第３乃至第６の実施の形態の直液式筆記具について、２本の流通路５３を連絡部５６を介して互いに連通させた変形例を、図１６乃至図１９に示す。図１６乃至図１９は、各変形例の共同連通管１３１’〜１６１’の前端の縦断面図である。
【０１０８】
極端な場合、開口部は２カ所に設けられているものの、その他の領域全体で２本の流通路５３が一体になっていても差し支え無い。この場合、連通管の本数は１本であるとも言い得る。このような変形例を、図２０乃至図２３に示す。図２０乃至図２３は、各変形例の連通管１３１”〜１６１”の前端の縦断面図である。
【０１０９】
各変形例の直液式筆記具は、ペン先２と、ペン先２の後端に接続される筒状のインキ吸蔵体３と、インキ吸蔵体３の後方に配置されるインキタンク４と、インキ吸蔵体３とインキタンク４との間を接続する連通管１３１”〜１６１”と、を備え、連通管１３１”〜１６１”の前端部は、インキ吸蔵体３の内部に位置していて、２つの開口部５１の各々がインキ吸蔵体３の外周側に向いた傾斜面１３２〜１６２内において開口するような形状を有しており、連通管１３１”〜１６１”は、各開口部５１に隣接して各開口部５１よりも前方に延在する先端領域１３３〜１６３を有しており、先端領域１３３〜１６３は、連通管１３１”〜１６１”がインキ吸蔵体３の後端から前方に挿入される時に当該インキ吸蔵体３の内部を押圧圧縮できる押圧圧縮部を構成している。
【０１１０】
なお、開口部５１の壁の高さｈは、インキと空気との交替をスムーズに行うためには、少なくとも０．５ｍｍ、好ましくは１．５ｍｍが必要である。
【符号の説明】
【０１１１】
１      直液式筆記具
２      ペン先
３      インキ吸蔵体
３１    高密度部
３２    低密度部
４      インキタンク
４１    本体
４１ａ  雄ネジ
４１ｂ  鍔部
４２    先口体
４３    栓体
５      連通管
５１    前端開口部
５２    傾斜面
５２ｄ  先端領域
５３    流通路
５６    連絡部
６      連結部
６１    傾斜面
６１ｄ  前端側の領域
６２    稜線状の頂部
７      中間部材
７１    隔壁
７２    接続管
７３    取付筒部
７４    棒状部
８      軸筒
８１    雌ネジ
９      インキ
１２    直液式筆記具（分離タイプ）
１２１  スリット状の間隙
１３１  共同連通管
１３２  傾斜面（交差タイプ）
１３３  先端領域
１３４  稜線状の頂部
１４１  共同連通管
１４２  傾斜面（連続凸曲面）
１４３  先端領域
１５１  共同連通管
１５２  傾斜面（円錐面）
１５３  先端領域
１５４  頂点
１６１  共同連通管
１６２  傾斜面（球面）
１６３  先端領域
１３１’〜１６１’  共同連通管の変形例
１３１”〜１６１”  連通管の変形例
【図１】
2016208436.tif 000003
【図２】
2016208436.tif 000004
【図３】
2016208436.tif 000005
【図４】
2016208436.tif 000006
【図５】
2016208436.tif 000007
【図６】
2016208436.tif 000008
【図７】
2016208436.tif 000009
【図８】
2016208436.tif 000010
【図９】
2016208436.tif 000011
【図１０】
2016208436.tif 000012
【図１１】
2016208436.tif 000013
【図１２】
2016208436.tif 000014
【図１３】
2016208436.tif 000015
【図１４】
2016208436.tif 000016
【図１５】
2016208436.tif 000017
【図１６】
2016208436.tif 000018
【図１７】
2016208436.tif 000019
【図１８】
2016208436.tif 000020
【図１９】
2016208436.tif 000021
【図２０】
2016208436.tif 000022
【図２１】
2016208436.tif 000023
【図２２】
2016208436.tif 000024
【図２３】
2016208436.tif 000025
【国際調査報告】
2016208436.tif 000026
2016208436.tif 000027
2016208436.tif 000028
2016208436.tif 000029